(57)【要約】【課題】鉄筋コンクリート柱の構築作業の作業性を飛躍的に向上させ、工期を著しく短縮できるようにする。【解決手段】（ｎ−１）階の柱とｎ階の梁（１）とを構築し、ｎ階と（ｎ＋１）階とが連続する２層分の一体柱ユニット（２２）を（ｎ−１）階の柱と連結し、（ｎ＋１）階の梁ユニット（１２）を柱ユニットに連結してｎ階の柱と（ｎ＋１）階の梁とを構築し、（ｎ＋２）階の梁ユニットを柱ユニットに連結して（ｎ＋２）階の梁を構築する鉄筋コンクリート柱の構築方法である。また、（ｎ＋１）階の梁を通してｎ階と（ｎ＋１）階とが連続する２層分の一体柱ユニット（２２）を備える鉄筋コンクリート柱の構築構造である。【選択図】        図２
2004300773.tif 000002
【特許請求の範囲】
【請求項１】
（ｎ−１）階の柱とｎ階の梁（１）とを構築し、ｎ階と（ｎ＋１）階とが連続する２層分の一体柱ユニット（２２）を（ｎ−１）階の前記柱と連結し、（ｎ＋１）階の梁ユニット（１２）を前記柱ユニットに連結してｎ階の柱（２１）と（ｎ＋１）階の梁（１１）とを構築し、（ｎ＋２）階の梁ユニット（３２）を前記柱ユニットに連結して（ｎ＋２）階の梁を構築することを特徴とする鉄筋コンクリート柱の構築方法。
【請求項２】
前記柱（２１）と前記梁（１１）とを場所打ちコンクリートにより形成する鉄筋コンクリート柱の構築方法であって、（ｎ−１）階の前記柱とｎ階の前記梁（１）とを構築した後、柱位置に開口部（１６）を有する（ｎ＋１）階の梁ユニット（１２）をｎ階の前記梁上にサポート（Ｓ）により仮支持し、地組みした前記柱ユニット（２２）を前記開口部の中を通して下ろした後、前記柱ユニットを（ｎ−１）階の前記柱と連結することを特徴とする請求項１に記載の鉄筋コンクリート柱の構築方法。
【請求項３】
前記開口部（１６）の下部にフープ筋（４）をあずけ、前記柱ユニット（２２）を前記フープ筋の中を通して下ろすことを特徴とする請求項２に記載の鉄筋コンクリート柱の構築方法。
【請求項４】
（ｎ＋１）階の梁（１１）を通してｎ階と（ｎ＋１）階とが連続する２層分の一体柱ユニット（２２）を備えたことを特徴とする鉄筋コンクリート柱の構築構造。
【発明の詳細な説明】
【０００１】
【発明の属する技術分野】
本発明は、鉄筋コンクリート柱の構築方法及び構築構造に関する。
【０００２】
【従来の技術】
従来、場所打ちコンクリート、プレキャスト（以下、ＰＣという）コンクリート等により鉄筋コンクリート柱を構築する場合、場所打ちコンクリートについては、地組み、あるいはその場所で組み上げられた一層分の柱ユニットを、ｎ階の梁から突出する柱脚に連結し、その柱ユニットにコンクリートを打設してｎ階の柱を構築する。そして、このｎ階の柱に（ｎ＋１）階の梁を構築した後、一層分の柱ユニットを（ｎ＋１）階の床面から突出する柱脚に連結していく方法が採られる。つまり、柱と梁とを一層分ずつ順次構築していく方法が採られている（例えば、特許文献参照）。また、ＰＣコンクリート柱の場合も同様に、柱と梁とを一層ごとに順次構築していく。
【０００３】
【特許文献】
特開平８−４２９９号公報（第４−５頁、第１図）
【０００４】
【発明が解決しようとする課題】
上述のように、従来の鉄筋コンクリート柱の構築方法及び構築構造は、ｎ階の柱と（ｎ＋１）階の梁とを一層ごとに順次構築していく方法が採られる。しかしながら、このようにｎ階の柱と（ｎ＋１）階の梁とを一層ごとに順次構築するためには、鉄筋コンクリート柱の主筋を機械式継手、溶接継手等により一層ごとに接合していかなければならず、作業性が極めて悪いという問題がある。
【０００５】
本発明はこのような問題を解決するためになされたもので、鉄筋コンクリート柱の構築作業の作業性を飛躍的に向上させ、これにより工期を著しく短縮することができる、鉄筋コンクリート柱の構築方法及び構築構造を提供することを課題とする。
【０００６】
【課題を解決するための手段】
上述の課題を解決するために、本発明の鉄筋コンクリート柱の構築方法は、（ｎ−１）階の柱とｎ階の梁とを構築し、ｎ階と（ｎ＋１）階とが連続する２層分の一体柱ユニットを（ｎ−１）階の柱と連結し、（ｎ＋１）階の梁ユニットを柱ユニットに連結してｎ階の柱と（ｎ＋１）階の梁とを構築し、（ｎ＋２）階の梁ユニットを柱ユニットに連結して（ｎ＋２）階の梁を構築することにある。又は、本発明の鉄筋コンクリート柱の構築構造は、（ｎ＋１）階の梁を通してｎ階と（ｎ＋１）階とが連続する２層分の一体柱ユニットを備えたことにある。ここで、ｎは任意の整数である。
【０００７】
このように、ｎ階と（ｎ＋１）階の柱ユニットを一体に形成することにより、鉄筋コンクリート柱の主筋の接合箇所を従来の約半分に減らすことができる。本手段は、場所打ちコンクリート柱、ＰＣコンクリート柱等と、場所打ちコンクリート梁、ＰＣコンクリート梁、鉄骨梁等との任意の組合せについて実施することができる。
【０００８】
柱と梁とを場所打ちコンクリートにより形成する鉄筋コンクリート柱の構築方法であって、（ｎ−１）階の柱とｎ階の梁とを構築した後、柱位置に開口部を有する（ｎ＋１）階の梁ユニットをｎ階の梁上にサポートにより仮支持し、地組みした柱ユニットを開口部の中を通して下ろした後、この柱ユニットを（ｎ−１）階の柱と連結することもできる。（ｎ＋１）階の梁ユニットにこのような開口部を設けることにより、柱ユニットのみならず、梁ユニットもこの柱ユニットを跨ぐ形のものが一体に地組み可能となり、作業性が一段と向上する。
【０００９】
開口部の下部にフープ筋をあずけ、柱ユニットをこのフープ筋の中を通して下ろすこともできる。柱ユニットをフープ筋の中に通すようにすれば、フープ筋の取付けが極めて容易になり、作業性がさらに向上する。
【００１０】
【発明の実施の形態】
本発明に係る鉄筋コンクリート柱の構築方法及び構築構造の発明の実施の形態を、図１ないし図４を参照して詳細に説明する。図１ないし図４は、本鉄筋コンクリート柱の構築方法及び構築構造を、一例としての場所打ちコンクリート工法により実施する場合を示す。
【００１１】
図１に示すように、ｎ階の柱脚２の主筋３を上方に突出させてコンクリートを打設し、図示しない（ｎ−１）階の柱とｎ階の梁１とが構築されている。柱脚２のフープ筋４を所定間隔で主筋３に巻き付ける。機械式継手５を主筋３の先端部にそれぞれ仮付けする。必要な数のフープ筋４を機械式継手５の近傍にあずけておく。
【００１２】
地組みした（ｎ＋１）階の梁ユニット１２をクレーンＣで運び入れ、サポートＳにより水平に仮支持する。この梁ユニット１２は主筋１３、スターラップ１４等により、一つの柱を跨ぐ形で一体に形成されており、主筋１３の一端には機械式継手１５が仮付けされる。梁ユニット１２には、後に柱ユニット２２を挿通させるための開口部１６が形成されている。この開口部１６の下部に、必要な数のフープ筋４をあずけておく。
【００１３】
図２に示すように、柱ユニット２２をクレーンＣで運び入れ、梁ユニット１２の開口部１６及びこの開口部１６の下部にあずけておいたフープ筋４を通して、垂直に下ろす。柱ユニット２２は、ｎ階と（ｎ＋１）階とが連続する２層分の柱鉄筋が一体に地組みされたものであり、主筋２３とこの主筋２３の周囲に所定間隔で巻き付けられたフープ筋２４等により形成されている。
【００１４】
図３に示すように、柱ユニット２２の主筋２３と柱脚２の主筋３とを機械式継手５により連結し、柱ユニット２２を図示しない（ｎ−１）階の柱と連結する。フープ筋４を主筋２３に取り付ける。梁ユニット１２と柱ユニット２２との間の必要な配筋を行なう。図４に示すように、柱ユニット２２のｎ階の柱部分、及び（ｎ＋１）階の梁ユニット１２にコンクリートを打設して、ｎ階の柱２１と（ｎ＋１）階の梁１１とを構築する。
【００１５】
地組みした（ｎ＋２）階の梁ユニット３２をクレーンＣで運び入れる。梁ユニット３２は、主筋３３とスターラップ３４等により、一つの柱を跨ぐ形で一体に形成されており、主筋３３の一端には機械式継手３５が仮付けされる。梁ユニット３２には、柱ユニット２２を挿通させるための開口部３６が設けられている。梁ユニット３２の開口部３６を柱ユニット２２に挿通し、梁ユニット３２と柱ユニット２２との間の必要な配筋を行なう。柱ユニット２２の（ｎ＋１）階の柱部分、及び（ｎ＋２）階の梁ユニット３２にコンクリートを打設して、図示しない（ｎ＋１）階の柱と（ｎ＋２）階の梁とを構築する。
【００１６】
以下同様に、２層分の一体柱ユニットと各階の梁ユニットとの連結、及びコンクリートの打設を繰り返して、建築物を構築していく。したがって、この建築物は、（ｎ＋１）階の梁１１を通してｎ階と（ｎ＋１）階とが連続する２層分の一体柱ユニット２２を備えている。このように、本鉄筋コンクリート柱の構築方法及び構築構造は、ｎ階と（ｎ＋１）階とが連続する一体柱ユニット２２を用いるから、鉄筋コンクリート柱の主筋３，２３の接合箇所を従来の約半分に減らすことができる。したがって、鉄筋コンクリート柱の構築作業の作業性を飛躍的に向上させ、工期を著しく短縮することができる。
【００１７】
また、（ｎ−１）階の柱とｎ階の梁１とを構築した後、柱位置に開口部１６を有する（ｎ＋１）階の梁ユニット１２をｎ階の梁１上にサポートＳにより仮支持し、地組みした柱ユニット２２をこの開口部１６の中を通して下ろした後に、柱ユニット２２を（ｎ−１）階の柱と連結するから、柱ユニット１２のみならず、梁ユニット２２もこの柱ユニット１２を跨ぐ形のものが一体に地組み可能となり、作業性が一段と向上する。また、（ｎ＋１）階の梁ユニット１２の開口部１６の下部にフープ筋４をあずけ、柱ユニット１２をこのフープ筋４の中を通して下ろすようにしたから、フープ筋４の取付けが極めて容易になり、作業性がさらに向上する。
【００１８】
なお、本発明の鉄筋コンクリート柱の構築方法及び構築構造は、上述のように、場所打ちコンクリート柱と場所打ちコンクリート梁との組合せに限定されるものではなく、場所打ちコンクリート柱、ＰＣコンクリート柱等と、場所打ちコンクリート梁、ＰＣコンクリート梁、鉄骨梁等との任意の組合せについて実施することができる。また、場所打ちコンクリート柱と場所打ちコンクリート梁の組合せの場合にも、柱ユニットや梁ユニットを地組みとせず、場所組みとしてもよいことは勿論である。さらに、必ずしもフープ筋を梁の開口部の下部にあずけておかなくてもよい。
【００１９】
また、上述の機械式継手５，１５，３５としては、ねじ継手、モルタル充填式継手、スリーブ圧着継手等が代表的であるが、必ずしもこれらに限定されるものではない。また、溶接継手等の他の方式の継手であってもよい。さらに、上述の（ｎ−１）階の柱には、それが基礎である場合も含まれる。
【００２０】
【発明の効果】
以上詳細に説明したように、本発明の鉄筋コンクリート柱の構築方法は、（ｎ−１）階の柱とｎ階の梁とを構築し、ｎ階と（ｎ＋１）階とが連続する２層分の一体柱ユニットを（ｎ−１）階の柱と連結し、（ｎ＋１）階の梁ユニットをこの柱ユニットに連結してｎ階の柱と（ｎ＋１）階の梁とを構築し、（ｎ＋２）階の梁ユニットを柱ユニットに連結して（ｎ＋２）階の梁を構築する。また、本発明の鉄筋コンクリート柱の構築構造は、（ｎ＋１）階の梁を通してｎ階と（ｎ＋１）階とが連続する２層分の一体柱ユニットを備える。
【００２１】
したがって、本発明の鉄筋コンクリート柱の構築方法及び構築構造は、鉄筋コンクリート柱の主筋の接合箇所を従来の約半分に減らすことができるから、鉄筋コンクリート柱の構築作業の作業性を飛躍的に向上させ、工期を著しく短縮することができるという優れた効果を奏する。
【図面の簡単な説明】
【図１】本発明に係る鉄筋コンクリート柱の構築方法及び構築構造の第１工程を示す正面図である。
【図２】同第２工程を示す正面図である。
【図３】同第３工程を示す正面図である。
【図４】同第４工程を示す正面図である。
【符号の説明】
１  梁
２  柱脚
３  主筋
４  フープ筋
５  機械式継手
１１    梁
１２  梁ユニット
１３  主筋
１４  スターラップ
１５  機械式継手
１６  開口部
２１    柱
２２  柱ユニット
２３  主筋
２４  フープ筋
３２  梁ユニット
３３  主筋
３４  スターラップ
３５  機械式継手
３６  開口部
Ｃ  クレーン
Ｓ  サポート
【図１】
2004300773.tif 000003
【図２】
2004300773.tif 000004
【図３】
2004300773.tif 000005
【図４】
2004300773.tif 000006